(57)【要約】【課題】  実装基板の製作コストの低減を可能にした遊技機を提供する。【解決手段】  筐体の前面に開閉可能に設けられる前面扉３の後面に実装基板１９を取り付けるとともに、実装基板１９の前面１９ａに、筐体内に設けられる制御基板の制御信号に基づいて、所定の遊技情報を、前面扉３に設けられる表示窓を通して、前面扉３の前面に表示可能な発光素子２１〜２５を実装した遊技機において、実装基板１９の前面１９ａに、電気素子２７、２８、及び制御基板と実装基板１９とを接続するハーネスのコネクタが接続される基板用コネクタ２６を実装する。    【選択図】  図４
2005287902.tif 000002
【特許請求の範囲】
【請求項１】
筐体の前面に開閉可能に設けられる前面扉の後面に実装基板を取り付けるとともに、該実装基板の前面に、前記筐体内に設けられる制御基板の制御信号に基づいて、所定の遊技情報を、前記前面扉に設けられる表示窓を通して、前記前面扉の前面に表示可能な発光素子を実装した遊技機において、
前記実装基板の前面に、電気素子、及び前記制御基板と前記実装基板とを接続するハーネスのコネクタが接続される基板用コネクタを実装したことを特徴とする遊技機。
【請求項２】
基板用コネクタを、実装基板の前面の下部に下向きに実装したことを特徴とする請求項１記載の遊技機。
【請求項３】
実装基板の基板用コネクタが実装される位置の下方に、前記基板用コネクタに接続されるハーネスが挿通可能な切欠部を設けたことを特徴とする請求項２記載の遊技機。
【発明の詳細な説明】
【技術分野】
【０００１】
本発明は、各種遊技情報を表示可能な発光素子を実装した実装基板を備える遊技機に関する。
【背景技術】
【０００２】
遊技機、具体的にはスロットマシンにおいて、複数の識別情報を変動表示可能な表示装置を含む遊技装置、及び遊技装置に制御信号を送出する制御基板等を収容した筐体と、この筐体の前面に開閉可能に設けられた前面扉とを備え、前面扉の後面側には、前面扉に設けられた表示窓を通して、前面扉の前面に各種遊技情報を表示可能な７セグメント発光ダイオード等の発光素子を実装した実装基板が取り付けられているものがある（例えば、特許文献１参照）。
【特許文献１】特開平６−３０４２９５号公報
【発明の開示】
【発明が解決しようとする課題】
【０００３】
上述のような遊技機においては、実装基板の前面に、７セグメント発光ダイオードで構成される払出枚数表示器が実装され、また、同じく後面に、７セグメント発光ダイオードで構成される設定値表示器、さらに、上記特許文献１に記載されていない抵抗、コンデンサ等の電気素子、及び制御基板と実装基板とを接続するハーネスのコネクタが接続される基板用コネクタが実装される。このように、実装基板の前面に払出枚数表示器、後面に電気素子、基板用コネクタ等を実装すると、実装基板の両面が実装面及び半田付け面となり、自動機による半田付け作業が困難となり、実装基板の製作コストの上昇を招く問題を生じる。
【０００４】
本発明は、従来の問題に鑑み、実装基板の製作コストの低減を可能にした遊技機を提供することを目的とする。
【課題を解決するための手段】
【０００５】
本発明によると、上記課題は、次のようにして解決される。
（１）筐体の前面に開閉可能に設けられる前面扉の後面に実装基板を取り付けるとともに、該実装基板の前面に、前記筐体内に設けられる制御基板の制御信号に基づいて、所定の遊技情報を、前記前面扉に設けられる表示窓を通して、前記前面扉の前面に表示可能な発光素子を実装した遊技機において、前記実装基板の前面に、電気素子、及び前記制御基板と前記実装基板とを接続するハーネスのコネクタが接続される基板用コネクタを実装する。
【０００６】
（２）上記(１)項において、基板用コネクタを、実装基板の前面の下部に下向きに実装する。
【０００７】
（３）上記(２)項において、実装基板の基板用コネクタが実装される位置の下方に、前記基板用コネクタに接続されるハーネスが挿通可能な切欠部を設ける。
【発明の効果】
【０００８】
本発明によれば、次のような効果が奏せられる。
（ａ）請求項１記載の発明によると、実装基板の前面に、所定の遊技状況を表示可能な発光素子と共に、電気素子、及び基板用コネクタを実装したことにより、実装基板の前面を実装面として、後面のみを半田付け面とすることが可能となり、実装基板の半田付け作業の自動化を容易に行うことができ、コストの低減を図ることができる。
【０００９】
（ｂ）請求項２記載の発明によると、基板用コネクタに接続されるハーネスが下方へ向けて配線されるため、ハーネスが発光素子等に干渉したりすることがない。
【００１０】
（ｃ）請求項３記載の発明によると、ハーネスを実装基板の切欠部を通して実装基板の前面側から後面側へ配線することができ、ハーネスの配線を容易に行うことができる。
【発明を実施するための最良の形態】
【００１１】
図１は、本発明を適用した遊技機(１)の正面図、図２は、前面扉(３)を開けた状態の遊技機(１)の斜視図、図３は、前面扉(３)の後面側の斜視図、図４は、図１におけるIV−IV線に沿う縦断面図、図５は、実装基板(19)の前面（実装面）側の斜視図、図６は、実装基板(19)の後面（半田付け面）側の斜視図である。
なお、以下の説明では、図１における紙面手前、図４における左方を遊技機(１)の前方とし、図１における紙面奥、図４における右方を遊技機(１)の後方とする。
【００１２】
図１及び図２に示すように、遊技機(１)、具体的にはスロットマシンは、前面が開放した筐体(２)と、筐体(２)の左端部前面に上下方向を向く軸回りに開閉可能に枢支された前面扉(３)とを備える。前面扉(３)は、閉状態にあるとき、前面扉(３)に設けられた上下のロック機構(４)が筐体(２)に設けられた係合部(図示略)に係合することにより、所定のキー等を使用しない限り開けられないようになっている。
【００１３】
なお、本発明は、本実施形態において遊技機(１)を遊技媒体がメダルであるスロットマシンとして説明するが、これに代えて、遊技機(１)を遊技媒体がパチンコ玉であるパチンコまたはスロットマシンとしても良い。
【００１４】
筐体(２)内には、外周面に複数種類の図柄、数字等で構成される識別情報が付記された左、中、右３個の回胴体(5a)により形成される表示装置(５)と、遊技媒体であるメダルを貯留及び放出可能なホッパーユニット(６)と、遊技進行を制御するための主制御基板(７)及び副制御基板(８)と、主制御基板(７)の制御信号に基づいて表示装置(５)の回胴体(5a)の回転を制御する回胴体制御基板(９)と、表示装置(５)、ホッパーユニット(６)、及び主制御基板(７)等に電力を供給可能な電源装置(10)が設けられている。
【００１５】
前面扉(３)の前面には、３個の回胴体(５a)の識別情報を左、中、右に表示可能な識別情報表示窓(11)と、識別情報表示窓(11)の上方にあって、前面扉(３)の後面側に取り付けられる液晶表示器(12)に映し出される各種遊技情報を表示可能な液晶表示窓(13)と、各種遊技情報を表示可能な遊技情報表示領域部(14)と、遊技媒体であるメダルを投入可能なメダル投入部(15)と、メダルの賭数を選定するためのベットスイッチボタン(16)と、表示装置(５)の回胴体(5a)を回転させるときに操作されるスタートスイッチレバー(17)と、回胴体(5a)の回転を停止させるときに操作されるストップスイッチボタン(18)等が設けられ、また、同じく後面側には、各種遊技情報を表示可能な複数の発光素子、電気素子等を実装した実装基板(19)が取り付けられている。
【００１６】
遊技情報表示領域部(14)は、識別情報表示窓(11)の下方近傍に設けられ、その領域には、左側から上、中、下の３個のベット数表示窓(14a)、メダル払出枚数表示窓(14b)、ボーナスゲーム残数表示窓(14c)、クレジット数表示窓(14d)、上、中、下３個の遊技進行表示窓(14e)が設けられている。
【００１７】
遊技機(１)の遊技は、遊技者がメダルをメダル投入部(15)に所定枚数投入して、ベットスイッチボタン(16)及びスタートスイッチレバー(17)を順次操作することにより、表示装置(５)の各回胴体(5a)を一斉に回転させて所定時間経過後、各回胴体(5a)に対応するストップスイッチボタン(18)を順次操作して、各回胴体(5a)を停止させることにより行われる。なお、メダル投入部(15)にメダルを投入することにより、所定数（例えば、５０枚）を上限として、後のゲームまでクレジット数として記憶されるようになっている。
【００１８】
そして、各回胴体(5a)が停止したときの、識別情報表示窓(11)に表示される左、中、右の識別情報の組み合わせにより、入賞の有無、及び賞の大小に応じたメダルの配当枚数が決定され、入賞した場合には、大当りとなって、予め定めた入賞枚数分だけホッパーユニット(６)からメダルが払い出される。大当りとなった場合には、予め定めたボーナスゲームに移行して、遊技者は短時間に大量のメダルを得ることができる。
【００１９】
実装基板(19)は、遊技情報表示領域部(14)に対応する前面扉(３)の裏面側に設けられた前向き凹状の取付部(20)にねじ(20a)をもって固定されるとともに、前面（前面扉(３)の後面に対向する面）(19a)には、発光素子をなすメダルのベット数（賭数）を点灯表示する３個の発光ダイオード(21)と、入賞したときのメダルの払出枚数を表示する７セグメント発光ダイオードＬＥＤ(22)と、ボーナスゲームに移行したときのボーナスゲーム残数を表示する７セグメント発光ダイオード(23)と、クレジット数を表示する７セグメント発光ダイオード(24)と、スタート可能状態、メダル投入可能状態、リプレイ状態等の遊技状況を点灯表示する３個の発光ダイオード(25)と、電気素子をなす抵抗(27)及びコンデンサ(28)と、主制御基板(７)と実装基板(19)とを接続するハーネス(29)のコネクタ(29a)が接続される基板用コネクタ(26)とが実装される。すなわち、実装基板(19)の前面(19a)は実装面を形成し、後面(19b)は半田付け面を形成する。また、実装基板(19)の前面(19a)には、プリント配線が施される。
【００２０】
発光ダイオード(21)、７セグメント発光ダイオード(22)、(23)、(24)及び発光ダイオード(25)は、遊技情報表示領域部(14)のベット数表示窓(14a)、メダル払出数表示窓(14b)、ボーナスゲーム残数表示窓(14c)、クレジット数表示窓(14d)及び遊技進行表示窓(14e)にそれぞれ対応し、それぞれが発光することにより、各種遊技情報を各窓を通して、その旨を前面扉(３)の前面に表示する。
【００２１】
基板用コネクタ(26)は、ハーネス(29)のコネクタ(29a)が差し込まれる差込口(26a)が下方へ向くように実装基板(19)の前面(19a)下部に実装される。実装基板(19)における基板用コネクタ(26)が実装される位置の下方には、ハーネス(29)が実装基板(19)の前面(19a)側から後面(19b)側へ挿通可能な切欠部(19c)が設けられている。
【００２２】
上述により、実装基板(19)の前面(19a)を実装面とし、この実装面に、発光素子をなす発光ダイオード(21)(25)、７セグメント発光ダイオード(22)(23)(24)、及び電気素子をなす抵抗(27)、コンデンサ(28)、並びに基板用コネクタ(26)の全ての実装部品が実装されることにより、実装基板(19)の半田付け面を後面(19b)の片面のみとすることができ、自動機による半田付けを容易に行うことができ、実装基板(19)の製作コストを大幅に削減することが可能となる。
【００２３】
また、基板用コネクタ(26)を実装基板(19)の下部に下向きに実装したことにより、基板用コネクタ(26)に接続されるハーネス(29)の配線の向きを下向きにすることができる。これにより、ハーネス(29)が発光素子に干渉したり、実装基板(19)の上方近傍に位置する識別情報表示窓(11)に露呈したりすることがないので、ハーネス(29)の配線が容易となり、実装基板(19)の取り付けを容易に行うことができる。さらには、基板用コネクタ(26)に接続されるハーネス(29)を、実装基板(19)に設けた切欠部(19c)を通して、実装基板(19)の前面(19a)側から後面(19b)側へ簡単に配線することができる。
【図面の簡単な説明】
【００２４】
【図１】本発明を適用した遊技機の正面図である。
【図２】前面扉を開けた状態の遊技機の斜視図である。
【図３】前面扉の後面側の斜視図である。
【図４】図１におけるIV−IV線に沿う縦断面図である。
【図５】実装基板の前面側の斜視図である。
【図６】実装基板の後面側の斜視図である。
【符号の説明】
【００２５】
(１)遊技機
(２)筐体
(３)前面扉
(４)ロック機構
(５)表示装置
(5a)回胴体
(６)ホッパーユニット
(７)主制御基板
(８)副制御基板
(９)回胴体制御基板
(10)電源装置
(11)識別情報表示窓
(12)液晶表示器
(13)液晶表示窓
(14)遊技情報表示領域部
(14a)ベット数表示窓（表示窓）
(14b)メダル払出数表示窓（表示窓）
(14c)ボーナスゲーム残数表示窓（表示窓）
(14d)クレジット数表示窓（表示窓）
(14e)遊技進行表示窓（表示窓）
(15)メダル投入部
(16)ベットスイッチボタン
(17)スタートスイッチレバー
(18)ストップスイッチボタン
(19)実装基板
(19a)前面（実装面）
(19b)後面（半田付け面）
(19c)切欠部
(20)取付部
(20a)ねじ
(21)発光ダイオード（発光素子）
(22)(23)(24)７セグメント発光ダイオード（発光素子）
(25)発光ダイオード（発光素子）
(26)基板用コネクタ
(26a)差込口
(27)抵抗（電気素子）
(28)コンデンサ（電気素子）
(29)ハーネス
(29a)コネクタ
【図１】
2005287902.tif 000003
【図２】
2005287902.tif 000004
【図３】
2005287902.tif 000005
【図４】
2005287902.tif 000006
【図５】
2005287902.tif 000007
【図６】
2005287902.tif 000008